【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
副走査断面内において光源手段から出射された光束を偏向走査する偏向手段の偏向面に有限の角度で光源手段からの光束を入射させる入射光学系と、前記偏向手段の偏向面にて偏向走査された光束を被走査面に結像させる結像光学系とを有する２つの走査ユニットを前記偏向手段を挟んで対向配置された光走査装置において、
前記２つの走査ユニットの一方の走査ユニットは、前記偏向手段から順に、第１の結像光学素子、第２の結像光学素子の少なくとも２つの結像光学素子を有しており、
前記２つの走査ユニットの他方の走査ユニットは、前記偏向手段から順に、第３の結像光学素子、第４の結像光学素子の少なくとも２つの結像光学素子を有しており、
前記一方の走査ユニットは、前記第４の結像光学素子の光学面で反射し前記一方の走査ユニット側の被走査面に向う不要光を遮光する第１の遮光部材とを有しており、
前記他方の走査ユニットの第３の結像光学素子は、前記第４の結像光学素子と前記第１の遮光部材との間の光路中に設けられ、かつ、前記第３の結像光学素子は、前記第４の結像光学素子の光学面で反射し前記一方の走査ユニット側の被走査面に向う不要光が通過する副走査断面内において正の屈折力を有しており、
副走査断面内において、前記第１の遮光部材は、前記偏向手段と前記第１の結像光学素子の間に配置されており、
前記第３の結像光学素子の副走査断面内の合成屈折力をφｓ、前記不要光が発生する第４の結像光学素子の光学面から前記第３の結像光学素子の副走査断面内における後側主平面までの距離をＳ１、前記第３の結像光学素子の副走査断面内における前側主平面から前記第１の遮光部材までの距離をＬとするとき、
-(S1+L)＜S1-Ｌ(S1・φs-1)＜(S1+L)
なる条件を満足することを特徴とする光走査装置。
【請求項２】
副走査断面内において光源手段から出射された光束を偏向走査する偏向手段の偏向面に有限の角度で光源手段からの光束を入射させる入射光学系と、前記偏向手段の偏向面にて偏向走査された光束を被走査面に結像させる結像光学系とを有する２つの走査ユニットを前記偏向手段を挟んで対向配置された光走査装置において、
前記２つの走査ユニットの一方の走査ユニットは、前記偏向手段から順に、第１の結像光学素子、第２の結像光学素子の少なくとも２つの結像光学素子を有しており、
前記２つの走査ユニットの他方の走査ユニットは、前記偏向手段から順に、第３の結像光学素子、第４の結像光学素子の少なくとも２つの結像光学素子を有しており、
前記一方の走査ユニットは、前記第４の結像光学素子の光学面で反射し前記一方の走査ユニット側の被走査面に向う不要光を遮光する第１の遮光部材とを有しており、
前記他方の走査ユニットの第３の結像光学素子は、前記第４の結像光学素子と前記第１の遮光部材との間の光路中に設けられ、かつ、前記第３の結像光学素子は、前記第４の結像光学素子の光学面で反射し前記一方の走査ユニット側の被走査面に向う不要光が通過する副走査断面内において正の屈折力を有しており、
副走査断面内において、前記第１の遮光部材は、前記第１の結像光学素子と前記第２の結像光学素子の間に配置されており、
前記第１の結像光学素子と前記第３の結像光学素子の副走査断面内の合成屈折力をφｐ、前記他方の走査ユニットの不要光が発生する第４の結像光学素子の光学面から前記第１の結像光学素子と前記第３の結像光学素子の合成系の被走査面側の主平面までの距離をＳ２、前記第１の結像光学素子と前記第３の結像光学素子の合成系の偏向手段側の主平面から前記第１の遮光部材までの距離をＬ２とするとき、
-(S2+L2)＜S2-L2(S2・φp-1)＜(S2+L2)
なる条件を満足することを特徴とする光走査装置。
【請求項３】
前記第１の遮光部材に入射し、遮光される不要光は副走査断面内において収束光束であることを特徴とする請求項１又は２に記載の光走査装置。
【請求項４】
前記２つの走査ユニットは、前記偏向手段の同一偏向面で偏向走査された光束を互いに異なる被走査面に結像させていることを特徴とする請求項１乃至３の何れか一項に記載の光走査装置。
【請求項５】
前記他方の走査ユニットは、前記第２の結像光学素子の光学面で反射し前記他方の走査ユニット側の被走査面に向う不要光を遮光する第２の遮光部材とを有しており、
前記一方の走査ユニットの第１の結像光学素子は、前記第２の結像光学素子と前記第２の遮光部材との間の光路中に設けられ、かつ、前記第１の結像光学素子は、前記第２の結像光学素子の光学面で反射し前記他方の走査ユニット側の被走査面に向う不要光が通過する副走査断面内において正の屈折力を有していることを特徴とする請求項１乃至４の何れか一項に記載の光走査装置。
【請求項６】
請求項１乃至５の何れか一項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【請求項７】
請求項１乃至５の何れか一項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００１７
【補正方法】変更
【補正の内容】
【００１７】
請求項１の発明の光走査装置は、副走査断面内において光源手段から出射された光束を偏向走査する偏向手段の偏向面に有限の角度で光源手段からの光束を入射させる入射光学系と、前記偏向手段の偏向面にて偏向走査された光束を被走査面に結像させる結像光学系とを有する２つの走査ユニットを前記偏向手段を挟んで対向配置された光走査装置において、
前記２つの走査ユニットの一方の走査ユニットは、前記偏向手段から順に、第１の結像光学素子、第２の結像光学素子の少なくとも２つの結像光学素子を有しており、
前記２つの走査ユニットの他方の走査ユニットは、前記偏向手段から順に、第３の結像光学素子、第４の結像光学素子の少なくとも２つの結像光学素子を有しており、
前記一方の走査ユニットは、前記第４の結像光学素子の光学面で反射し前記一方の走査ユニット側の被走査面に向う不要光を遮光する第１の遮光部材とを有しており、
前記他方の走査ユニットの第３の結像光学素子は、前記第４の結像光学素子と前記第１の遮光部材との間の光路中に設けられ、かつ、前記第３の結像光学素子は、前記第４の結像光学素子の光学面で反射し前記一方の走査ユニット側の被走査面に向う不要光が通過する副走査断面内において正の屈折力を有しており、
副走査断面内において、前記第１の遮光部材は、前記偏向手段と前記第１の結像光学素子の間に配置されており、
前記第３の結像光学素子の副走査断面内の合成屈折力をφｓ、前記不要光が発生する第４の結像光学素子の光学面から前記第３の結像光学素子の副走査断面内における後側主平面までの距離をＳ１、前記第３の結像光学素子の副走査断面内における前側主平面から前記第１の遮光部材までの距離をＬとするとき、
-(S1+L)＜S1-Ｌ(S1・φs-1)＜(S1+L)
なる条件を満足することを特徴としている。
【手続補正３】
【補正対象書類名】明細書
【補正対象項目名】００１８
【補正方法】変更
【補正の内容】
【００１８】
請求項２の発明の光走査装置は、副走査断面内において光源手段から出射された光束を偏向走査する偏向手段の偏向面に有限の角度で光源手段からの光束を入射させる入射光学系と、前記偏向手段の偏向面にて偏向走査された光束を被走査面に結像させる結像光学系とを有する２つの走査ユニットを前記偏向手段を挟んで対向配置された光走査装置において、
前記２つの走査ユニットの一方の走査ユニットは、前記偏向手段から順に、第１の結像光学素子、第２の結像光学素子の少なくとも２つの結像光学素子を有しており、
前記２つの走査ユニットの他方の走査ユニットは、前記偏向手段から順に、第３の結像光学素子、第４の結像光学素子の少なくとも２つの結像光学素子を有しており、
前記一方の走査ユニットは、前記第４の結像光学素子の光学面で反射し前記一方の走査ユニット側の被走査面に向う不要光を遮光する第１の遮光部材とを有しており、
前記他方の走査ユニットの第３の結像光学素子は、前記第４の結像光学素子と前記第１の遮光部材との間の光路中に設けられ、かつ、前記第３の結像光学素子は、前記第４の結像光学素子の光学面で反射し前記一方の走査ユニット側の被走査面に向う不要光が通過する副走査断面内において正の屈折力を有しており、
副走査断面内において、前記第１の遮光部材は、前記第１の結像光学素子と前記第２の結像光学素子の間に配置されており、
前記第１の結像光学素子と前記第３の結像光学素子の副走査断面内の合成屈折力をφｐ、前記他方の走査ユニットの不要光が発生する第４の結像光学素子の光学面から前記第１の結像光学素子と前記第３の結像光学素子の合成系の被走査面側の主平面までの距離をＳ２、前記第１の結像光学素子と前記第３の結像光学素子の合成系の偏向手段側の主平面から前記第１の遮光部材までの距離をＬ２とするとき、
-(S2+L2)＜S2-L2(S2・φp-1)＜(S2+L2)
なる条件を満足することを特徴としている。
【手続補正４】
【補正対象書類名】明細書
【補正対象項目名】００１９
【補正方法】変更
【補正の内容】
【００１９】
請求項３の発明は請求項１又は２の発明において、前記第１の遮光部材に入射し、遮光される不要光は副走査断面内において収束光束であることを特徴としている。
【手続補正５】
【補正対象書類名】明細書
【補正対象項目名】００２０
【補正方法】変更
【補正の内容】
【００２０】
請求項４の発明は請求項１乃至３の何れか一項の発明において、前記２つの走査ユニットは、前記偏向手段の同一偏向面で偏向走査された光束を互いに異なる被走査面に結像させていることを特徴としている。
【手続補正６】
【補正対象書類名】明細書
【補正対象項目名】００２１
【補正方法】変更
【補正の内容】
【００２１】
請求項５の発明は請求項１乃至４の何れか一項の発明において、前記他方の走査ユニットは、前記第２の結像光学素子の光学面で反射し前記他方の走査ユニット側の被走査面に向う不要光を遮光する第２の遮光部材とを有しており、
前記一方の走査ユニットの第１の結像光学素子は、前記第２の結像光学素子と前記第２の遮光部材との間の光路中に設けられ、かつ、前記第１の結像光学素子は、前記第２の結像光学素子の光学面で反射し前記他方の走査ユニット側の被走査面に向う不要光が通過する副走査断面内において正の屈折力を有していることを特徴としている。
【手続補正７】
【補正対象書類名】明細書
【補正対象項目名】００２２
【補正方法】変更
【補正の内容】
【００２２】
請求項６の発明の画像形成装置は、請求項１乃至５の何れか一項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写器と、転写されたトナー像を被転写材に定着させる定着器とを有することを特徴としている。
【手続補正８】
【補正対象書類名】明細書
【補正対象項目名】００２３
【補正方法】変更
【補正の内容】
【００２３】
請求項７の発明の画像形成装置は、請求項１乃至５の何れか一項に記載の光走査装置と、外部機器から入力したコードデータを画像信号に変換して前記光走査装置に入力せしめるプリンタコントローラとを有していることを特徴としている。
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】